(57)【要約】【課題】照明光の配光角を変更することが可能でありながら、コストの増加を抑制し、部品の破損等を防止することが可能な照明装置を提供する。【解決手段】  光源２０と、該光源からの出射光を投影するレンズ５とを備えた照明装置おいて、該レンズを保持するレンズ保持手段は、円筒状部材３と、該円筒状部材の内側に配置され、かつ、該レンズを狭持するように配置される支持金具４と押圧部材７とを有し、該円筒状部材の内側面には、複数の段差を有する凸部が少なくとも２つ以上形成されており、該支持金具の外周には、該凸部の前記複数の段差と係合する複数の凹部が形成されていることを特徴とする。【選択図】図４
0003212842.tif 000002
【実用新案登録請求の範囲】
【請求項１】
光源と、該光源からの出射光を投影するレンズとを備えた照明装置において、
該レンズを保持するレンズ保持手段は、円筒状部材と、該円筒状部材の内側に配置され、かつ、該レンズを狭持するように配置される支持金具と押圧部材とを有し、
該円筒状部材の内側面には、複数の段差を有する凸部が少なくとも２つ以上形成されており、
該支持金具の外周には、該凸部の前記複数の段差と係合する複数の凹部が形成されていることを特徴とする照明装置。
【請求項２】
請求項１に記載の照明装置において、該円筒状部材の内側面には、該押圧部材を保持する溝が形成されていることを特徴とする照明装置。
【請求項３】
請求項１又は２に記載の照明装置において、該光源は基板に配置されたＬＥＤ光源であり、該光源の配置形状及び該レンズの形状が光軸に対して点対称になるように設定されていることを特徴とする照明装置。
【考案の詳細な説明】
【技術分野】
【０００１】
本考案は、照明光の配光角を変更することが可能な照明装置にする。
【背景技術】
【０００２】
従来、ＬＥＤ（Light Emitting Diode）等を光源に用いた照明装置が実用に供されている。さらに、照明光の配光角を変更すること可能な照明装置が、特許文献１及び２に開示されている。
【０００３】
照明光の配光角を調整するため、特許文献１では、光源側に設けられる円筒状本体と、レンズを保持する円筒状回転体とを用いている。該本体の側面には螺旋状のスライド穴が形成され、円筒状回転体には、該スライド穴に沿って移動可能なガイドピンが設けられ、該本体内で該回転体を回動することで、該回転体を該本体に対して中心軸方向に移動可能に形成している。さらに、該レンズには突起部を設け、該本体の内側面に設けられた溝に該突起部が係合しており、該レンズは、該溝に沿って移動し、該光源と該レンズとの距離が変更されている。
【０００４】
また、特許文献２では、レンズを備えた配光制御部と、光源側に設けられ、該配光調整部を収納する円筒形状の調整部を用いている。該円筒形状の内側面に、ガイド部として、複数の長さの異なる溝が形成されると共に、該溝に係合する凸部を該配光制御部の周囲に設け、該凸部を選択的に該溝に係合させることにより、該光源と該レンズとの距離が変更されている。
【先行技術文献】
【特許文献】
【０００５】
【特許文献１】特開２０１２−２２１７６９号公報
【特許文献２】特許第５７５６９２４号公報
【考案の概要】
【考案が解決しようとする課題】
【０００６】
特許文献１又は２の照明装置では、配光調整を行なうための、可動部品や特別な形状の部品が多く必要となり、照明装置の製造コストが高くなる。しかも、レンズやレンズを保持する配光制御部に、突起部や凸部等を設ける必要があり、光学部品のコストが高くなるだけで無く、取扱時に突起部等が容易に破損し易いなどの不具合がある。
【０００７】
本考案は、上記のような従来の事情に鑑みて為されたものであり、照明光の配光角を変更することが可能でありながら、複雑な可動部品を用いないことでコストの増加を抑制し、部品の破損等を防止することが可能な照明装置を提供することを目的とする。
【課題を解決するための手段】
【０００８】
上記目的を達成するために、本考案に係る照明装置は、以下のような特徴を備えている。
（１）  光源と、該光源からの出射光を投影するレンズとを備えた照明装置において、該レンズを保持するレンズ保持手段は、円筒状部材と、該円筒状部材の内側に配置され、かつ、該レンズを狭持するように配置される支持金具と押圧部材とを有し、該円筒状部材の内側面には、複数の段差を有する凸部が少なくとも２つ以上形成されており、該支持金具の外周には、該凸部の前記複数の段差と係合する複数の凹部が形成されていることを特徴とする。
【０００９】
（２）  上記（１）に記載の照明装置において、該円筒状部材の内側面には、該押圧部材を保持する溝が形成されていることを特徴とする。
【００１０】
（３）  上記（１）又は（２）に記載の照明装置において、該光源は基板に配置されたＬＥＤ光源であり、該光源の配置形状及び該レンズの形状が光軸に対して点対称になるように設定されていることを特徴とする。
【考案の効果】
【００１１】
本考案によれば、光源と、該光源からの出射光を投影するレンズとを備えた照明装置において、該レンズを保持するレンズ保持手段は、円筒状部材と、該円筒状部材の内側に配置され、かつ、該レンズを狭持するように配置される支持金具と押圧部材とを有し、該円筒状部材の内側面には、複数の段差を有する凸部が少なくとも２つ以上形成されており、該支持金具の外周には、該凸部の前記複数の段差と係合する複数の凹部が形成されているため、円筒状部材に対する支持金具の取付け位置を変更するだけで、光源とレンズとの距離を容易に変更でき、照明装置のコストの増加を抑制することが可能となる。しかも、従来のように、レンズに突起部等の特殊な形状を設けることを、必ずしも必要としないため、突起部等の破損の心配もない。
【図面の簡単な説明】
【００１２】
【図１】本発明の一実施形態に係る照明装置（ダウンライト）１の斜視図である。
【図２】図１の照明装置１の正面図である。
【図３】図１の照明装置１の側面図である。
【図４】図１の照明装置１に係る分解斜視図である。
【図５】図４の照明装置の分解斜視図で示した円筒状部材３の斜視図である。
【図６】図５の円筒状部材３の正面図である。
【図７】図５の円筒状部材３の二点鎖線Ａ−Ａにおける断面図である。
【図８】図４の照明装置の分解斜視図で示した支持金具４の斜視図である。
【図９】図８の支持金具４の正面図である。
【図１０】図３の照明装置１の二点鎖線Ａ−Ａにおける断面図であり、レンズ５を光源２０から最も離した状態（狭角配光）を示す図である。
【図１１】図３の照明装置１の二点鎖線Ａ−Ａにおける断面図であり、レンズ５を光源２０からある程度離した状態（中角配光）を示す図である。
【図１２】図３の照明装置１の二点鎖線Ａ−Ａにおける断面図であり、レンズ５を光源２０に最も近づけた状態（広角配光）を示す図である。
【図１３】本発明の一実施形態に係る照明装置（スポットライト）１’の斜視図である。
【図１４】図１３の照明装置１’に係る分解斜視図である。
【考案を実施するための形態】
【００１３】
本考案の照明装置について、図１乃至１２、並びに図１３及び１４を参考に、以下に詳細に説明する。
本考案の照明装置は、光源（図４の符号２０）と、該光源からの出射光を投影するレンズ（図２及び図４の符号５）とを備えた照明装置おいて、該レンズを保持するレンズ保持手段は、円筒状部材（図４の符号３）と、該円筒状部材の内側に配置され、かつ、該レンズを狭持するように配置される支持金具（図４の符号４）と押圧部材（図４の符号７）とを有し、該円筒状部材の内側面には、複数の段差を有する凸部（図５の符号３０）が少なくとも２つ以上形成されており、該支持金具の外周には、該凸部の前記複数の段差と係合する複数の凹部（図８の符号４１〜４３）が形成されていることを特徴とする。
【００１４】
図１乃至１２に示す照明装置１は、天井や壁面に埋め込んで使用されるダウンライトの実施例を示している。また、図１３及び１４に示す照明装置１’は、天井や壁面等に固定手段２２を取り付けて使用するスポットライトの実施例である。本考案の照明装置の特徴部分は、共通であるため、以下では、ダウンライトの照明装置１を中心に説明を行う。
【００１５】
本考案の照明装置１は、図４に示すように、光源２０を保持する照明本体２と、レンズ５を保持するレンズ保持手段から構成される。光源２０は、ＬＥＤ光源を用いることが可能である。特に、基板の表面に複数のＬＥＤを配置したチップ・オン・ボード（ＣＯＢ）タイプの光源が好適に利用される。また、ＬＥＤ光源の形状や配置は、図４に示すように、円形状光源（点状光源を円内に複数配置したもの。）を中央部分に配置するものや、特許文献１又は２に示すように、点状光源を回転対称となるように配置するもの、さらには点状光源を回転非対称に配置するものなど、種々の形態が採用可能である。
【００１６】
光源の形態により、使用するレンズの形状や、光源に対するレンズの回転が制限される。図４に示すように、光源２０に円形状光源を利用する場合は、光源自体が光軸に対して点対称であり、さらに、レンズも、光軸に対して点対称な形状となる。このため、光源に対してレンズが回転しても、照明光の配光角は変化しない。しかしながら、回転対称に配置した点状光源を使用する場合には、レンズは各点状光源に対応したレンズ部分を備え、レンズの回転も所定角度毎に行うか、回転不可となる。回転非対称に配置した点状光源を使用する場合には、レンズは各点状光源に対応したレンズ部分を備え、レンズの回転は不可となる。
【００１７】
レンズの回転を所定角度毎に行う場合や、回転不可とする場合には、特許文献１又は２に示すように、レンズ及びレンズを保持する円筒状部材の各々に、突起部と溝を形成し、両者が互いに係合することでレンズの位置決めを行うことが可能である。なお、このような突起部は破損する可能性があるため、光源として回転対称や回転非対称に配置した点状光源を用いる場合に、限定される。
【００１８】
照明本体２の内部には、ＬＥＤ光源を駆動する電源回路（不図示）が配置される。また、照明本体２の周囲には放熱フィン２１が設けられ、照明本体２の内部に蓄積される熱を効果的に放出するよう構成されている。
【００１９】
図１３及び１４に示すスポットライトの場合には、照明本体２’に、天井や壁面等に照明装置を固定するための固定手段２２を取り付けている。照明本体２’と固定手段２２との間は、照明本体２’を例えば２軸方向に回転可能なアームによって連結されている。
【００２０】
レンズを保持するためのレンズ保持手段について説明する。レンズ保持手段は、レンズ５を収納する円筒状部材３と、円筒状部材の内部にレンズ５を配置固定するための、支持金具４及び押圧部材７から構成される。必要に応じて、レンズ５と押圧部材７との間に、図４に示すような、リング状の部材６を設けることも可能である。部材６はフィルターとレンズを同時に保持する部材として使用することが可能である。図４では図示されていないが、支持金具４とレンズ５との間にＯリング等の弾性部材を配置することも可能である。さらに、ネジ等の周知の係合手段や固着手段により、レンズ保持手段は照明本体２に接合固定される。
【００２１】
照明装置に使用するレンズは、単レンズを用いてもよいが、レンズの厚みを減らすために、図１０等に示すように、フレネルレンズで構成することがより好ましい。また、点状光源を離散的に配置する場合には、特許文献１又は２に示すように、各点状光源に対応したレンズ部分を複数設け、これらを一体的に配置したレンズ体として構成することも可能である。
【００２２】
円筒状部材３は、図５乃至７に示すように、円筒状部材の内側面には、複数の段差（３１〜３３）を有する凸部３０が少なくとも２つ以上形成されている。円筒状部材は、アルミなどの金属や樹脂を用い、ダイキャスト成形や射出成型で凸部を形成することが可能である。また、後述する押圧部材７の一部を挿入保持する溝（３１０，３２０，３３０）も同様に形成することが可能である。
【００２３】
図８及び９に示すように、支持金具４には、該凸部３０の各段差に係合する複数の凹部（４１〜４３）が設けられている。支持金具は金属のプレートを打ち抜き加工することで、容易に作成が可能である。
【００２４】
押圧部材７は、図４に示すように、弾性を有する金属線を加工して弾性部材を形成することができる。押圧部材７には、円筒状部材の溝（３１０等）に保持される部分と内側に突出してレンズ５に直接又は間接に当接する部分が設けられている。また、押圧部材７は図４に示した形状に限らず、金属線を螺旋状に巻いた弦巻ばね状の部材を使用することも可能である。弦巻ばね状の部材のように押圧方向に広い範囲で押圧力を発生できる場合には、円筒状部材３に形成する溝は１個のみでも良い。また、押圧部材７としては、ゴムやシリコン樹脂などの耐熱性や弾性を有する素材を用いて構成することも可能である。この場合には、押圧部材の形状は、円筒状部材の一部に固定配置される部分と、レンズ５を支持金具４の方向に押圧する部分とを備えるなら、任意の形状を採用することが可能である。
【００２５】
レンズ保持部材の使用方法について、説明する。なお、図１０乃至１２は、図３の照明装置１の二点鎖線Ａ−Ａにおける断面図を示している。
照明光を狭角な配光角に設定するには、図１０に示すように、円筒状部材３の凸部３０に支持金具４の凹部４１（図８参照）を合わせて配置し、支持金具４を凸部３０の段差３１（図５参照）で保持させる。次に、支持金具４上に、レンズ５、必要に応じて、リング状の弾性部材６を配置し、押圧部材７を円筒状部材３の溝３１０に嵌め込む。これにより、レンズ５は、光源２０から最も遠い位置に配置固定される。
【００２６】
照明光を中間の配光角に設定するには、図１１に示すように、円筒状部材３の凸部３０に支持金具４の凹部４２（図８参照）を合わせて配置し、支持金具４を凸部３０の段差３２（図５参照）で保持させる。次に、支持金具４上に、レンズ５、必要に応じて、リング状の弾性部材６を配置し、押圧部材７を円筒状部材３の溝３２０に嵌め込む。これにより、レンズ５は、光源２０から中間の位置に配置固定される。
【００２７】
さらに、照明光を広角な配光角に設定するには、図１２に示すように、円筒状部材３の凸部３０に支持金具４の凹部４３（図８参照）を合わせて配置し、支持金具４を凸部３０の段差３３（図５参照）で保持させる。次に、支持金具４上に、レンズ５、必要に応じて、リング状の弾性部材６を配置し、押圧部材７を円筒状部材３の溝３３０に嵌め込む。これにより、レンズ５は、光源２０から最も近い位置に配置固定される。
【００２８】
実施例では、円筒状部材３の凸部３０に設ける段差の数を３段で構成しているが、段差の数は、これに限定されるものではない。また、これに段差の数に対応し、支持金具４の凹部の形状の種類も変化する。
【００２９】
円筒状部材３に支持金具４を取り付ける際に、どの配光角がどの段差やどの凹部に対応しているのかを明示するため、円筒状部材３又は支持金具４のいずれかには、凸部の段差又は凹部に対応して、目印を付すことが好ましい。
例えば、支持金具の凹部の傍に、広角（Ｗｉｄｅ）に対応する凹部には「Ｗ」の文字、中間（Ｍｉｄｄｌｅ）に対応する凹部には「Ｍ」の文字、狭角（Ｎａｒｒｏｗ）に対応する凹部には「Ｎ」の文字などを付すことで各配光を容易に判別が可能となる。
【産業上の利用可能性】
【００３０】
本考案によれば、照明光の配光角を変更することが可能でありながら、複雑な可動部品を用いないことでコストの増加を抑制し、部品の破損等を防止することが可能な照明装置を提供することが可能となる。
【符号の説明】
【００３１】
１，１’：照明装置
２，２’：照明本体
３：円筒状部材
４：支持金具
５：レンズ
６：リング状の部材（レンズ・フィルター保持部材）
７：押圧部材
【図１】
0003212842.tif 000003
【図２】
0003212842.tif 000004
【図３】
0003212842.tif 000005
【図４】
0003212842.tif 000006
【図５】
0003212842.tif 000007
【図６】
0003212842.tif 000008
【図７】
0003212842.tif 000009
【図８】
0003212842.tif 000010
【図９】
0003212842.tif 000011
【図１０】
0003212842.tif 000012
【図１１】
0003212842.tif 000013
【図１２】
0003212842.tif 000014
【図１３】
0003212842.tif 000015
【図１４】
0003212842.tif 000016